(57)【要約】【課題】入球口から落下してくる遊技球を後方へ延びる入球路へスムーズに導くリブを備えた入賞装置において、装置前面に配置した前板に設けた透光部からの光の透過をリブが妨げて陰影を形成し、イルミネーション効果を低下させることを防止する。【解決手段】入球口２２を備えると共に排出口２３を有した入球路２４と、入球路の前端開口を閉止すると共に透光部２６を備えた前板２５と、入球口から入球してきた遊技球が入球路底面に達する前にこれを受けて該底面に案内するガイド部材３０と、入球路の後部に配置されて前板の透光部へ向けて投光する光源４０と、を備え、ガイド部材は、透光部と光源との間の光路を回避した退避位置と該光路内に突出する突出位置との間を進退自在に構成され、且つ常時においては該退避位置に弾性付勢され、入球口から落下してきた遊技球からの負荷が加わった時には付勢力に抗して突出位置に移動し、遊技球を排出口に案内する。【選択図】図４
2010194187.tif 000002
【特許請求の範囲】
【請求項１】
前後方向へ延び前部上方に入球口を備えると共に後部底面に排出口を有した入球路と、前記入球路の前端開口を閉止すると共に透光部を備えた前板と、前記入球口から入球してきた遊技球が前記入球路底面に達する前にこれを受けて該底面に案内するガイド部材と、前記入球路の後部に配置されて前記前板の透光部へ向けて投光する光源と、を備え、
前記ガイド部材は、前記透光部と前記光源との間の光路を回避した退避位置と該光路内に突出する突出位置との間を進退自在に構成され、且つ常時においては該退避位置に弾性付勢され、
前記入球口から落下してきた遊技球からの負荷が加わった時には前記付勢力に抗して前記突出位置に移動し、該遊技球を前記排出口に案内するように構成されていることを特徴とする入賞装置。
【請求項２】
前記ガイド部材は、前記前板の背面側に設けた軸支部により回動自在に軸支された回動軸と、該回動軸から一体的に突出し且つ離間配置された少なくとも二本のガイド片とから構成されていることを特徴とする請求項１に記載の入賞装置。
【請求項３】
前記ガイド片間の間隔は、前記透光経路に相当する部位において拡大していることを特徴とする請求項２に記載の入賞装置。
【請求項４】
前記ガイド部材は、前記前板の背面側に設けた軸支部により回動自在に軸支された回動軸と、該回動軸から一体的に突出した板状ガイド片と、から構成され、
前記板状ガイド片面には透光用のスリット、或いはメッシュが形成されていることを特徴とする請求項１に記載の入賞装置。
【請求項５】
前記ガイド片は透明材料から構成されていることを特徴とする請求項１乃至４の何れか一項に記載の入賞装置。
【請求項６】
請求項１乃至５の何れか一項に記載の入賞装置を備えたことを特徴とする遊技機。
【発明の詳細な説明】
【技術分野】
【０００１】
本発明はパチンコ遊技機を構成する遊技盤面上に配置されて入球時に所定の賞球数が得られる入賞装置の改良に関する。
【背景技術】
【０００２】
パチンコ遊技機においては、遊技盤の盤面に入賞装置（普通入賞装置、始動入賞装置、大入賞装置）、風車、図柄表示装置、電飾装置等の各種盤面部品を設けて遊技内容の多様性を図っている。例えば、遊技盤に設けられた始動入賞口に遊技球が入賞するという始動条件の成立によって遊技盤中の図柄表示装置に表示される図柄が変動を開始し、特定の図柄（例えば「７７７」等の三つ揃い図柄）にて停止することで、特別遊技状態である大当り状態に移行するように構成されている。大当たり状態では、大入賞装置の大入賞口を開放状態とし、所定の条件に基づいてこの開放状態を所定回数繰り返すことにより多量の出球を放出する。
また、普通入賞装置を構成する普通入賞口に入球した時には、所定数の賞球を払出すように構成されている。
【０００３】
特許文献１、２に開示された普通入賞装置の普通入賞口は、図７（ａ）に示すように遊技盤１００の前面に上向きに開口した入球口１０１を備え、入球口から後方へ通路１０２が延び、通路の後部底面に排出口１０３を備えている。このような構成であると、入球口から入球した遊技球Ｂが入球口直後の落下経路とＬ字型に交差する通路１０２の底面に強く衝突して通路底面を局部的に損傷させたり、或いは通路底面に当たって上方に跳ね返ることによりスムーズに通路後方へ移動できなくなる等の不具合をもたらすため、例えば（ｂ）に示すように入球口と通路との交差部に斜めに破線で示したリブ１０５を設けることにより遊技球を緩衝させつつスムーズに通路後方へ導くようにしている。
一方、（ｂ）に示すように入球口１０１の前方に配置された前板１１０に任意の文字、符号、図形などを象った透光部１１１を設けると共に、通路の後方に配置したＬＥＤ光源１１２からの照光によって透光部を発光させる演出を行うように構成する場合がある。しかし、このように構成した場合、リブ１０５が光源からの光の一部を妨げて、発光状態にある透光部１１１を前方から見た場合の発光の均一性を低下させることとなる。具体的には、（ｃ）に示すように前方から見た発光部の一部にリブにより遮光されたことを原因とする明度の低い陰影部位が形成されて美観を悪化させ、イルミネーション効果を低下させることとなる。仮に、リブを透明な材料により構成したとしてもリブによる透過光量の低下を防止することは難しかった。
【先行技術文献】
【特許文献】
【０００４】
【特許文献１】特開２００３−２１０６８３公報
【特許文献２】特開２００８−０５５２１１公報
【発明の概要】
【発明が解決しようとする課題】
【０００５】
以上のように従来の普通入賞装置においては、前板に電飾用に発光する透光部を設けた場合に入賞球を通路後方にスムーズに導くために配置されるリブが後方に設けた光源からの光量を部分的に低下させて透光部の発光中に陰影を形成するという不具合があった。
本発明は上記に鑑みてなされたものであり、入球口から落下してくる遊技球を後方へ延びる入球路へスムーズに導くリブを備えた入賞装置において、装置前面に配置した前板に設けた透光部からの光の透過をリブが妨げて陰影を形成し、イルミネーション効果を低下させることを防止した入賞装置、及び遊技機を提供することを目的としている。
【課題を解決するための手段】
【０００６】
上記目的を達成するため、請求項１の発明に係る入賞装置は、前後方向へ延び前部上方に入球口を備えると共に後部底面に排出口を有した入球路と、前記入球路の前端開口を閉止すると共に透光部を備えた前板と、前記入球口から入球してきた遊技球が前記入球路底面に達する前にこれを受けて該底面に案内するガイド部材と、前記入球路の後部に配置されて前記前板の透光部へ向けて投光する光源と、を備え、前記ガイド部材は、前記透光部と前記光源との間の光路を回避した退避位置と該光路内に突出する突出位置との間を進退自在に構成され、且つ常時においては該退避位置に弾性付勢され、前記入球口から落下してきた遊技球からの負荷が加わった時には前記付勢力に抗して前記突出位置に移動し、該遊技球を前記排出口に案内するように構成されていることを特徴とする。
入球口から入球路内に進入してくる遊技球を一旦受けてガイドするガイド部材を進退自在に構成し、遊技球の非入球時には光源からの光路を回避した位置に退避させておく一方で、遊技球の入球時には遊技球の重量によって光路内に突出して遊技球を入球路内にスムーズに移行させるように構成した。このため、ガイド部材が退避位置にある限り光源から出射されて前板に設けた透光部から発光する光を妨げることがなく、イルミネーションによる演出効果を低下させる虞がなくなる。
また、遊技球が入賞するとガイド片が突出位置に移動し、光が遮蔽される（透過率が変わる）ことで、遊技者に入賞したことを判りやすく報知することが可能となる。
【０００７】
請求項２の発明に係る入賞装置は、前記ガイド部材は、前記前板の背面側に設けた軸支部により回動自在に軸支された回動軸と、該回動軸から一体的に突出し且つ離間配置された少なくとも二本のガイド片とから構成されていることを特徴とする。
ガイド部材を離間配置された２つのガイド片から構成したので、ガイド片が光路内に位置している場合であっても、ガイド片間の間隙から光源からの出射光が通過することができ、透光部に形成される陰影を低減することができる。
請求項３の発明に係る入賞装置は、前記ガイド片間の間隔は、前記透光経路に相当する部位において拡大していることを特徴とする。
これによれば、光源光が透光部に陰影を形成する可能性を更に低減することができる。
【０００８】
請求項４の発明に係る入賞装置は、前記ガイド部材は、前記前板の背面側に設けた軸支部により回動自在に軸支された回動軸と、該回動軸から一体的に突出した板状ガイド片と、から構成され、前記板状ガイド片面には透光用のスリット、或いはメッシュが形成されていることを特徴とする。
ガイド片自体に透光性を高めるためのスリット、メッシュ等の小開口を複数形成したり、集光性を高めるためのレンズを配置することによっても、ガイド片による陰影が低減される。
請求項５の発明に係る入賞装置は、前記ガイド片は透明材料から構成されていることを特徴とする。
請求項６の発明に係る遊技機は、請求項１乃至５の何れか一項に記載の入賞装置を備えたことを特徴とする。
【発明の効果】
【０００９】
本発明の入賞装置にあっては、入球口から入球路内に進入してくる遊技球を一旦受けてガイドするガイド部材を進退自在に構成し、遊技球の非入球時には光源からの光路を回避した位置に退避させておく一方で、遊技球の入球時には遊技球の重量によって光路内に突出して遊技球を入球路内にスムーズに移行させるように構成した。このため、ガイド部材が退避位置にある限り光源から出射されて前板に設けた透光部から発光する光を妨げることがなく、イルミネーションによる演出効果を低下させる虞がなくなる。
また、遊技球が入賞するとガイド片が突出位置に移動し、光が遮蔽される（透過率が変わる）ことで、遊技者に入賞したことを判りやすく報知することが可能となる。
【図面の簡単な説明】
【００１０】
【図１】本発明を適用する遊技機の一例としてのパチンコ遊技機の正面図である。
【図２】（ａ）及び（ｂ）は本発明の一実施形態に係る入賞装置の構成を示す正面図、及び外観斜視図である。
【図３】入賞装置の分解斜視図である。
【図４】（ａ）及び（ｂ）は入賞装置の構成及び動作を示す断面図である。
【図５】（ａ）（ｂ）及び（ｃ）は夫々本発明の他の実施形態に係るガイド部材の構成説明図である。
【図６】（ａ）及び（ｂ）は本発明の他の実施形態に係るガイド片の構成を示す説明図である。
【図７】（ａ）（ｂ）及び（ｃ）は従来例の説明図である。
【発明を実施するための形態】
【００１１】
以下、本発明を図面に示した実施の形態により詳細に説明する。
図１は本発明に係る入賞装置を適用するパチンコ遊技機の正面構成説明図である。
図１に示すパチンコ遊技機１は、図示しない矩形形状の枠を有し、この枠の窓孔に対して裏側から遊技盤２が着脱可能に取り付けられている。
遊技盤２の盤面には、液晶表示器（画像表示装置）５を備えたセンター役物６が配置され、センター役物６の下方には、始動入賞口７が設けられ、更にその下方には特別図柄表示器の特別図柄を可変表示させるための可変入賞装置８が設けられている。
さらに可変入賞装置８の下方には、特別遊技状態の一つである大当り状態のときに開成状態になる開閉扉を有する大入賞口９が設けられている。
また遊技盤２には、風車１０、遊技釘１１、及び普通入賞装置（入賞装置）２０が設けられている。
なお、必要に応じて遊技盤面の他のスペースに図示しない画像表示手段としての液晶表示器を配置してもよい。液晶表示器は、例えば液晶表示パネルにより構成され、通常動作状態の時は、特別図柄に応じた画像が表示される。また、所謂リーチ状態や特別遊技状態の時は、それぞれの遊技状態であることを示す演出画像等が表示される。
【００１２】
遊技盤３の右側下方の遊技領域外には、特別図柄の変動と表示を行う特別図柄表示器１５や普通図柄の変動と表示を行う普通図柄表示器１６などが設けられている。
ベニヤ板、或いはアクリル板から成る遊技盤２の前面側にはガラス枠が開閉可能に取り付けられている。また遊技盤２の下部には遊技球を貯めておく図示しない受け皿部と、受け皿部内の遊技球を発射する図示しない発射レバー等が設けられている。また受け皿部の上部には、遊技演出を行うチャンスボタンや十字キー、あるいは遊技球の購入ボタンや購入取り消しボタンなどの操作部が設けられている。
遊技盤２の裏面には、液晶画面、主制御基板とサブ制御基板等、遊技の進行、演出に関わる裏部品を組み付けた合成樹脂製の機構板（何れも図示せず）が開閉自在に装着されている。遊技盤２における遊技領域２ａの周囲には、発射レバーを操作することにより発射装置から発射された遊技球を遊技領域２ａの上部に案内したり、アウト口１３に案内する外レールＲ１及び内レールＲ２が設けられている。
【００１３】
図２（ａ）及び（ｂ）は本発明の一実施形態に係る普通入賞装置の構成を示す正面図、及び外観斜視図であり、図３は普通入賞装置の分解斜視図であり、図４（ａ）及び（ｂ）は普通入賞装置の構成及び動作を示す断面図である。
本実施形態に係る普通入賞装置（入賞装置）２０は、前後方向へ延び前部上方に入球口（普通入賞口）２２を備えると共に後部底面に排出口２３を有した入球路２４を有した本体２１と、入球路２４の前端開口２４ａを閉止すると共に透光部２６を備えた前板２５と、入球口２２から入球してきた遊技球Ｂが入球路底面２４ｂに達する前にこれを受けて緩衝しつつ底面２４ｂに案内するガイド部材３０と、入球路の後部（後方）に配置されて前板の透光部２６へ向けて投光する光源４０と、を備えている。
本体２１の後部には光源４０を支持した光源支持板４１がボルト４２により固定され、入球路２４の底面２４ｂに設けた排出口２３には入賞検出スイッチ４５が配置されている。
【００１４】
ガイド部材３０は、透光部２６と光源４０との間の光路を回避した退避位置（図４（ａ））と光路内に突出する突出位置（図４（ｂ））との間を進退自在に構成され、且つ常時においては弾性部材３５によって退避位置に弾性付勢された状態に保持されている。
更に、ガイド部材３０は、入球口２２から落下してきた遊技球からの負荷が加わらない時には弾性部材３５により上向きに付勢されて図４（ａ）の退避位置に保持されると共に、入球口２２から落下してきた遊技球からの負荷が加わった時には付勢力に抗して図４（ｂ）に示した突出位置に移動し、遊技球を入球路の底面を経由して排出口２３に案内するように構成されている。遊技球がガイド部材から離脱した後には弾性緩衝部材は弾性部材３５の付勢力によって退避位置に復帰する。
本実施形態に係るガイド部材３０は、前板２５の背面側に設けた軸支部２７により回動自在に軸支された回動軸３１と、回動軸３１から一体的に突出し且つ離間配置された少なくとも二本のガイド片３２とから構成されている。リブ状のガイド部材３０を構成するガイド片３２は、透明な樹脂材料から構成されている。また、ガイド片間の間隙の位置は、光源４０からの出射光の光軸に相当するようにレイアウトされている。
【００１５】
本例に係る弾性部材３５は、軸支部２７によって回動自在に軸支された回動軸３１を常時上方（退避方向）へ付勢するように、軸支部２７に設けたバネ支持部２７ａと回動軸３１との間に固定されたトーションバネである。弾性部材３５の弾発力は、図４（ａ）のように遊技球からの負荷がガイド片３２上に加わらない時にはガイド片３２を退避位置に保持し続ける一方で、（ｂ）に示したように入球口２２から落下してきた遊技球が退避位置にあるガイド片３２上に乗って負荷をかけたときには下降して遊技球を入球路底面２４ｂにガイドするように設定する。
入球口２２から入球してきた遊技球は退避位置にある二本のガイド片３２上に落下して弾性部材３５に抗してこれを押し下げることにより落下エネルギーを減殺され（緩衝され）、上方、その他の異方向へ弾むことなく入球路底面２４ｂ上に移行して排出口２３からスムーズに排出される。
【００１６】
光源４０から電飾用の光を発光して透光部２６を発光させるタイミングは、遊技機によって異なっているが、透光部が発光している期間中にガイド片３２が退避位置にあって光源からの光路を遮蔽しない状態にあることにより、透光部２６内にガイド片による陰影が形成されることがなくなり、電飾効果の低下を防止することが可能となる。
なお、光源４０からの光により透光部２６が発光している期間中に、入球してきた遊技球によりガイド片３２が突出位置に押し下げられた場合においても、透明材料から成る二本のガイド片３２は光源光の光軸を回避した位置に離間配置されているため、光を遮蔽することによる陰影の影響が最小限となり、電飾効果の低下を抑えることができる。
上記実施形態では二本のリブ状のガイド片を平行に配置することによりガイド片間の間隔を均一に設定したが、ガイド片間の間隔を、透光経路に相当する部位において拡大するように構成してもよい。即ち、例えば図５（ａ）に示すように透光経路に相当する部位が最大間隔となるように各ガイド片３２の適所を円弧状（或いは、矩形状等）に変形させたり、（ｂ）に示すようにガイド片間の間隔が先端方向へ向かうほど広がるように（八字状に）構成したり、（ｃ）に示すように多段状に間隔を拡開させてもよい。
【００１７】
次に、図６は本発明の他の実施形態に係るガイド片の構成を示す説明図であり、（ａ）に示したガイド部材３０は、前板の背面側に設けた軸支部２７により回動自在に軸支された回動軸３１と、回動軸から一体的に突出した板状ガイド片３２と、からなり、ガイド片３２を透明板から構成する一方で、その板面をメッシュ状に構成したメッシュ部３３とすることにより光透過性を高めている。
或いは、板状ガイド片３２の面に複数本のスリットを形成しても良い。
また、図６（ｂ）では板状のガイド片３２の中央部を凸レンズ３４として集光性を高めて透光部からの発光により形成されるイルミネーション中に陰影が形成されないように構成している。
【００１８】
これらの実施形態によれば、ガイド片３２が図４（ｂ）に示した突出位置にある場合であっても、光源からの光の透過率が高まるため、透光部からの発光により形成されるイルミネーション中に陰影が形成されにくくなる。
なお、上記実施形態では、入球口２２への遊技球の入球経路が略垂直方向下向き（図１（ａ）の矢印Ｄ１方向）であるために、入球口内に入った後の遊技球の落下方向が略垂直方向となる場合を図示説明したが、入球口２２への入球経路が矢印Ｄ２で示した如き斜め方向である場合には、入球口から入った遊技球は斜め方向へ落下してくるため、ガイド部材３０を遊技球の入球方向と平行に回動するように構成するのが好ましい。即ち、斜め方向Ｄ２から入球してきた遊技球をガイド片３２の上面にて同時に受けることができるように、ガイド片３２の上面を遊技球の入球方向と直交するように配置し、且つ同方向に沿って進退するように構成する。
要するに、ガイド部材の回動軸３１を水平方向に配置してガイド片３２が上下方向に回動するように常に構成する必要はなく、遊技球の入球方向に応じて回動方向を斜め方向へ設定することは差し支えない。
【００１９】
以上のように本発明によれば、入球口２２から入球路内に進入してくる遊技球Ｂを一旦受けてガイドするガイド部材３０を進退自在に構成し、遊技球の非入球時には光源４０から透光部２６へ向かう光路を回避した位置に退避させておく一方で、遊技球の入球時には遊技球の重量によって光路内に突出して遊技球を入球路内にスムーズに移行させるように構成した。このため、ガイド部材が退避位置にある限り光源から出射されて前板に設けた透光部から発光する光を妨げることがなく、イルミネーションによる演出効果を低下させる虞がなくなる。
また、ガイド部材を離間配置された２つのガイド片から構成したので、ガイド片が光路内に位置している場合であっても、ガイド片間の間隙から光源からの出射光が通過することができ、透光部に形成される陰影を低減することができる。
また、ガイド片間の間隔は、透光経路に相当する部位において拡大しているので、光源光が透光部に陰影を形成する可能性を更に低減することができる。
また、ガイド片自体に透光性を高めるためのスリット、メッシュ等の小開口を複数形成したり、集光性を高めるためのレンズを配置することによっても、ガイド片による陰影が低減される。
更に、遊技球が入賞するとガイド片が突出位置に移動し、光が遮蔽される（透過率が変わる）ことで、遊技者に入賞したことを判りやすく報知することが可能となる。
【符号の説明】
【００２０】
１…パチンコ遊技機、２…遊技盤、２ａ…遊技領域、３…遊技盤、６…センター役物、７…始動入賞口、８…可変入賞装置、９…大入賞口、１０…風車、１１…遊技釘、１３…アウト口、１５…特別図柄表示器、１６…普通図柄表示器、２０…普通入賞装置（入賞装置）、２１…本体、２２…入球口、２３…排出口、２４…入球路、２４ａ…前端開口、２４ｂ…入球路底面、２５…前板、２６…透光部、２７…軸支部、２７ａ…バネ支持部、３０…ガイド部材、３１…回動軸、３２…ガイド片、３３…メッシュ部、３４…凸レンズ、３５…弾性部材、４０…光源、４１…光源支持板、４２…ボルト、４５…入賞検出スイッチ
【図１】
2010194187.tif 000003
【図２】
2010194187.tif 000004
【図３】
2010194187.tif 000005
【図４】
2010194187.tif 000006
【図５】
2010194187.tif 000007
【図６】
2010194187.tif 000008
【図７】
2010194187.tif 000009